(57)【要約】  各ユーザから生体情報を取得する生体情報取得装置の近傍に設置されている設置装置から所定の距離以内に位置するユーザ携帯端末各々から、ユーザの識別情報を取得するユーザ情報取得部（４１）と、複数のユーザ各々に対応する複数の登録生体情報を格納する格納装置から、ユーザ情報取得部（４１）が取得したユーザの識別情報に対応する登録生体情報を抽出する抽出部（４２）と、生体情報取得装置から、生体情報を取得する生体情報取得部（４３）と、認証処理時に抽出されている登録生体情報と、生体情報取得部（４３）が取得した生体情報とに基づいて、認証処理を行う認証部（４４）と、を有する認証装置（４０）。
2016035402.tif 000002
【特許請求の範囲】
【請求項１】
各ユーザから生体情報を取得する生体情報取得装置の近傍に設置されている設置装置から所定の距離以内に位置するユーザ携帯端末各々から、前記ユーザの識別情報を取得するユーザ情報取得手段と、
複数の前記ユーザ各々に対応する複数の登録生体情報を格納する格納装置から、前記ユーザ情報取得手段が取得した前記ユーザの識別情報に対応する前記登録生体情報を抽出する抽出手段と、
前記生体情報取得装置から、前記生体情報を取得する生体情報取得手段と、
認証処理時に抽出されている前記登録生体情報と、前記生体情報取得手段が取得した前記生体情報とに基づいて、認証処理を行う認証手段と、
を有する認証装置。
【請求項２】
請求項１に記載の認証装置において、
前記ユーザ情報取得手段は、前記ユーザ携帯端末各々の前記設置装置からの距離を示す距離情報をさらに取得し、
前記抽出手段が抽出した前記登録生体情報を、前記距離情報に基づき、距離に応じた複数のグループに分ける距離毎グループ化手段をさらに有し、
前記認証手段は、認証処理時に最も距離が小さいグループに属する前記登録生体情報と、前記生体情報取得手段が取得した前記生体情報とに基づいて、認証処理を行う認証装置。
【請求項３】
請求項２に記載の認証装置において、
前記距離毎グループ化手段は、
前記抽出手段が抽出した前記登録生体情報を、第１のグループから第ｎのグループ（ｎは２以上の整数、かつ、ｎが大きいほど距離が大きい）にグループ化し、
前記ユーザ情報取得手段が、第１の前記ユーザの識別情報、及び、第ｐ（ｐは１以上ｎ以下）のグループに対応する前記距離情報を取得すると、第（ｐ−１）のグループ及び第（ｐ＋１）のグループの少なくとも一方を検索対象とし、検索対象のグループに属する前記登録生体情報の中から前記第１のユーザの識別情報に対応する前記登録生体情報を特定すると、特定した前記登録生体情報を前記第ｐのグループに移動させる認証装置。
【請求項４】
請求項１から３のいずれか１項に記載の認証装置において、
前記ユーザ情報取得手段は、前記ユーザ携帯端末から所定の距離以内に位置する前記設置装置の識別情報をさらに取得し、
前記抽出手段が抽出した前記登録生体情報を、前記設置装置の識別情報に基づき、前記設置装置の識別情報毎に複数のグループに分ける設置装置毎グループ化手段をさらに有し、
前記生体情報取得手段は、前記生体情報取得装置から、前記生体情報及び近傍に設置されている前記設置装置の識別情報を取得し、
前記認証手段は、前記生体情報取得手段が取得した前記設置装置の識別情報に対応するグループに属する前記登録生体情報と、前記生体情報取得手段が取得した前記生体情報とに基づいて、認証処理を行う認証装置。
【請求項５】
請求項１から４のいずれか１項に記載の認証装置と、各ユーザから生体情報を取得する生体情報取得装置と、前記生体情報取得装置の近傍に設置されている設置装置と、前記ユーザ各々に携帯されるユーザ携帯端末とを有し、
前記設置装置は、定期的に又は間欠的に、自装置からの距離が所定の距離以内に位置する前記ユーザ携帯端末に検知情報を送信する検知情報送信手段をさらに有し、
前記携帯端末は、
前記ユーザの識別情報を記憶するユーザ情報記憶手段と、
前記検知情報を受信する検知情報受信手段と、
前記検知情報受信手段が前記検知情報を受信すると、当該受信に応じて、前記ユーザの識別情報を前記認証装置に送信するユーザ情報送信手段と、
を有する認証システム。
【請求項６】
請求項５に記載の認証システムにおいて、
前記検知情報送信手段は、前記検知情報の送信距離を、第１のレベルから第ｎ（ｎは２以上の整数、かつ、ｎが大きいほど距離が大きい）のレベルの間で制御可能であり、かつ、前記検知情報に前記送信距離を示す距離情報を含めて送信し、
前記ユーザ情報送信手段は、前記距離情報を前記認証装置に送信する認証システム。
【請求項７】
請求項５又は６に記載の認証システムにおいて、
前記検知情報送信手段は、前記検知情報に自装置の識別情報を含めて送信し、
前記ユーザ情報送信手段は、前記設置装置の識別情報を前記認証装置に送信する認証システム。
【請求項８】
請求項１から４のいずれか１項に記載の認証装置と、各ユーザから生体情報を取得する生体情報取得装置と、前記生体情報取得装置の近傍に設置されている設置装置と、前記ユーザ各々に携帯されるユーザ携帯端末とを有し、
前記ユーザ携帯端末は、
前記ユーザの識別情報を記憶するユーザ情報記憶手段と、
定期的に又は間欠的に、自装置からの距離が所定の距離以内に位置する前記設置装置に、前記ユーザの識別情報を含む検知情報を送信する検知情報送信手段と、
をさらに有し、
前記設置装置は、
前記検知情報を受信する検知情報受信手段と、
前記検知情報受信手段が前記検知情報を受信すると、当該受信に応じて、前記ユーザの識別情報を前記認証装置に送信するユーザ情報送信手段と、
を有する認証システム。
【請求項９】
請求項８に記載の認証システムにおいて、
前記検知情報送信手段は、前記検知情報の送信距離を、第１のレベルから第ｎ（ｎは２以上の整数、かつ、ｎが大きいほど距離が大きい）のレベルの間で制御可能であり、かつ、前記検知情報に前記送信距離を示す距離情報を含めて送信し、
前記ユーザ情報送信手段は、前記距離情報を前記認証装置に送信する認証システム。
【請求項１０】
請求項８又は９に記載の認証システムにおいて、
前記ユーザ情報送信手段は、自装置の識別情報を前記認証装置に送信する認証システム。
【請求項１１】
コンピュータが、
各ユーザから生体情報を取得する生体情報取得装置の近傍に設置されている設置装置から所定の距離以内に位置するユーザ携帯端末各々から、前記ユーザの識別情報を取得するユーザ情報取得工程と、
複数の前記ユーザ各々に対応する複数の登録生体情報を格納する格納装置から、前記ユーザ情報取得工程で取得した前記ユーザの識別情報に対応する前記登録生体情報を抽出する抽出工程と、
前記生体情報取得装置から、前記生体情報を取得する生体情報取得工程と、
認証処理時に抽出されている前記登録生体情報と、前記生体情報取得工程で取得した前記生体情報とに基づいて、認証処理を行う認証工程と、
を実行する認証方法。
【請求項１２】
コンピュータを、
各ユーザから生体情報を取得する生体情報取得装置の近傍に設置されている設置装置から所定の距離以内に位置するユーザ携帯端末各々から、前記ユーザの識別情報を取得するユーザ情報取得手段、
複数の前記ユーザ各々に対応する複数の登録生体情報を格納する格納装置から、前記ユーザ情報取得手段が取得した前記ユーザの識別情報に対応する前記登録生体情報を抽出する抽出手段、
前記生体情報取得装置から、前記生体情報を取得する生体情報取得手段、
認証処理時に抽出されている前記登録生体情報と、前記生体情報取得手段が取得した前記生体情報とに基づいて、認証処理を行う認証手段、
として機能させるためのプログラム。
【発明の詳細な説明】
【技術分野】
【０００１】
本発明は、認証装置、認証システム、認証方法及びプログラムに関する。
【背景技術】
【０００２】
特許文献１には、顔画像を用いた認証システムが開示されている。
【先行技術文献】
【特許文献】
【０００３】
【特許文献１】特開２０１４−１１５８２１号公報
【発明の概要】
【発明が解決しようとする課題】
【０００４】
顔画像の他、指紋、声紋、虹彩等、様々な生体のデータを用いた生体認証が多く利用されている。しかし、従来の生体認証システムの場合、事前に登録されている登録生体データの数が多くなると、認証精度や認証の処理速度が不十分になるという問題があった。【０００５】
本発明は、生体認証において、認証精度や認証の処理速度を向上させるための技術を提供することを課題とする。
【課題を解決するための手段】
【０００６】
本発明によれば、
各ユーザから生体情報を取得する生体情報取得装置の近傍に設置されている設置装置から所定の距離以内に位置するユーザ携帯端末各々から、前記ユーザの識別情報を取得するユーザ情報取得手段と、
複数の前記ユーザ各々に対応する複数の登録生体情報を格納する格納装置から、前記ユーザ情報取得手段が取得した前記ユーザの識別情報に対応する前記登録生体情報を抽出する抽出手段と、
前記生体情報取得装置から、前記生体情報を取得する生体情報取得手段と、
認証処理時に抽出されている前記登録生体情報と、前記生体情報取得手段が取得した前記生体情報とに基づいて、認証処理を行う認証手段と、
を有する認証装置が提供される。【０００７】
また、本発明によれば、
上記認証装置と、各ユーザから生体情報を取得する生体情報取得装置と、前記生体情報取得装置の近傍に設置されている設置装置と、前記ユーザ各々に携帯されるユーザ携帯端末とを有し、
前記設置装置は、定期的に又は間欠的に、自装置からの距離が所定の距離以内に位置する前記ユーザ携帯端末に検知情報を送信する検知情報送信手段をさらに有し、
前記携帯端末は、
前記ユーザの識別情報を記憶するユーザ情報記憶手段と、
前記検知情報を受信する検知情報受信手段と、
前記検知情報受信手段が前記検知情報を受信すると、当該受信に応じて、前記ユーザの識別情報を前記認証装置に送信するユーザ情報送信手段と、
を有する認証システムが提供される。【０００８】
また、本発明によれば、
コンピュータが、
各ユーザから生体情報を取得する生体情報取得装置の近傍に設置されている設置装置から所定の距離以内に位置するユーザ携帯端末各々から、前記ユーザの識別情報を取得するユーザ情報取得工程と、
複数の前記ユーザ各々に対応する複数の登録生体情報を格納する格納装置から、前記ユーザ情報取得工程で取得した前記ユーザの識別情報に対応する前記登録生体情報を抽出する抽出工程と、
前記生体情報取得装置から、前記生体情報を取得する生体情報取得工程と、
認証処理時に抽出されている前記登録生体情報と、前記生体情報取得工程で取得した前記生体情報とに基づいて、認証処理を行う認証工程と、
を実行する認証方法が提供される。【０００９】
また、本発明によれば、
コンピュータを、
各ユーザから生体情報を取得する生体情報取得装置の近傍に設置されている設置装置から所定の距離以内に位置するユーザ携帯端末各々から、前記ユーザの識別情報を取得するユーザ情報取得手段、
複数の前記ユーザ各々に対応する複数の登録生体情報を格納する格納装置から、前記ユーザ情報取得手段が取得した前記ユーザの識別情報に対応する前記登録生体情報を抽出する抽出手段、
前記生体情報取得装置から、前記生体情報を取得する生体情報取得手段、
認証処理時に抽出されている前記登録生体情報と、前記生体情報取得手段が取得した前記生体情報とに基づいて、認証処理を行う認証手段、
として機能させるためのプログラムが提供される。
【発明の効果】
【００１０】
本発明によれば、生体認証において、認証精度や認証の処理速度を向上させることが可能となる。
【図面の簡単な説明】
【００１１】
上述した目的、およびその他の目的、特徴および利点は、以下に述べる好適な実施の形態、およびそれに付随する以下の図面によってさらに明らかになる。【００１２】
【図１】本実施形態の認証システムの全体像の一例を説明するための図である。
【図２】本実施形態の設置装置の機能ブロック図の一例を示す図である。
【図３】本実施形態のユーザ携帯端末の機能ブロック図の一例を示す図である。
【図４】本実施形態の格納装置が記憶する情報の一例を模式的に示す図である。
【図５】本実施形態の認証装置のハードウエア構成の一例を模式的に示す図である。
【図６】本実施形態の認証装置の機能ブロック図の一例を示す図である。
【図７】本実施形態の認証装置の記憶部が記憶する情報の一例を模式的に示す図である。
【図８】本実施形態の認証システムの全体像の一例を説明するための図である。
【図９】本実施形態のユーザ携帯端末の機能ブロック図の一例を示す図である。
【図１０】本実施形態の設置装置の機能ブロック図の一例を示す図である。
【図１１】本実施形態の技術思想を説明するための模式図である。
【図１２】本実施形態の認証装置の機能ブロック図の一例を示す図である。
【図１３】本実施形態の認証装置の記憶部が記憶する情報の一例を模式的に示す図である。
【図１４】本実施形態の格納装置が記憶する情報の一例を模式的に示す図である。
【図１５】本実施形態の認証装置の機能ブロック図の一例を示す図である。
【図１６】本実施形態の認証装置の記憶部が記憶する情報の一例を模式的に示す図である。
【図１７】本実施形態の認証装置の記憶部が記憶する情報の一例を模式的に示す図である。
【図１８】本実施形態の認証装置が記憶する情報の一例を模式的に示す図である。
【発明を実施するための形態】
【００１３】
以下、本発明の実施形態について説明する。本実施形態の各装置及び各端末が備える各部は、任意のコンピュータのＣＰＵ（Central Processing Unit）、メモリ、メモリにロードされたプログラム（あらかじめ装置を出荷する段階からメモリ内に格納されているプログラムのほか、ＣＤ（Compact Disc）等の記憶媒体やインターネット上のサーバ等からダウンロードされたプログラムも含む）、そのプログラムを格納するハードディスク等の記憶ユニット、ネットワーク接続用インタフェイスを中心にハードウエアとソフトウエアの任意の組合せによって実現される。そして、その実現方法、装置にはいろいろな変形例があることは、当業者には理解されるところである。
【００１４】
以下の実施形態の説明において利用する機能ブロック図は、ハードウエア単位の構成ではなく、機能単位のブロックを示している。これらの図においては、各装置及び各端末は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。
【００１５】
＜＜第１の実施形態＞＞
まず、図１を用いて、生体認証において、認証精度や認証の処理速度を向上させることが可能となる本実施形態の認証システムの全体像について説明する。
【００１６】
本実施形態の認証システムは、生体情報取得装置１０、設置装置２０、ユーザ携帯端末３０、認証装置４０、および、格納装置５０の中の少なくとも一つを有する。
【００１７】
生体情報取得装置１０は、生体認証が必要なスポット（場所）に設置される。このようなスポットとしては、例えば、認証されたユーザのみが入室できる部屋の入口（例：ドア）や、認証されたユーザのみが通過できるゲート等が考えられるが、これらに限定されない。
【００１８】
生体情報取得装置１０は、設置されたスポットで、ユーザの顔画像、指紋、声紋、虹彩等の生体データを取得する。生体情報取得装置１０は、取得した生体データから所定の特徴量を抽出できてもよい。このようにして、生体情報取得装置１０は、生体データ及び／又は特徴量を含む生体情報を取得する。
【００１９】
格納装置５０には、予め登録された登録生体情報が格納されている。すなわち、格納装置５０には、上記スポットで認証される（例：通過が許可される）１人又は複数のユーザ各々の生体情報（登録生体情報）が登録されている。
【００２０】
認証装置４０は、生体情報取得装置１０と有線及び／又は無線で繋がり、通信可能となっている。また、認証装置４０は、格納装置５０と有線及び／又は無線で繋がり、通信可能となっている。さらに、認証装置４０は、ユーザ携帯端末３０と、インターネット等のネットワーク１を介して有線及び／又は無線で繋がり、通信可能となっている。なお、図では、認証装置４０と格納装置５０の接続、認証装置４０と生体情報取得装置１０の接続、認証装置４０とユーザ携帯端末３０の接続は、各々異なるネットワークで実現されているが、同じネットワークで実現されても構わない。
【００２１】
認証装置４０は、生体情報取得装置１０から生体情報を取得する。そして、認証装置４０は、生体情報取得装置１０から取得した生体情報と、格納装置５０に格納されている登録生体情報とを用いて、生体情報取得装置１０に生体情報を入力したユーザの認証処理を行う。
【００２２】
なお、認証装置４０は、格納装置５０に登録されている登録生体情報の全てを毎回用いて認証処理を行うのでなく、ユーザ携帯端末３０から取得した情報を用いて絞り込まれた一部の登録生体情報のみを用いて認証処理を行う。
【００２３】
具体的には、各ユーザに携帯されるユーザ携帯端末３０には、各ユーザの識別情報が記憶されている。そして、認証装置４０は、生体情報取得装置１０の近くに位置するユーザ携帯端末３０から、ネットワーク１を介して、当該ユーザの識別情報を取得する。例えば、生体情報取得装置１０の近傍に設置された設置装置２０と、ユーザ携帯端末３０とは、互いの距離が所定値以下になると、通信距離が所定値以下である所定の無線通信規格で通信を行うように構成される。そして、ユーザ携帯端末３０は、設置装置２０との上記無線通信が行われると、それに応じて、ユーザの識別情報を認証装置４０に送信する。
【００２４】
認証装置４０は、ユーザ携帯端末３０から受信したユーザの識別情報に基づいて、格納装置５０から一部の登録生体情報を抽出する。具体的には、ユーザ携帯端末３０から取得したユーザの識別情報で特定されるユーザの登録生体情報を抽出する。このようにすれば、生体情報取得装置１０の近くに位置するユーザの登録生体情報を予め抽出することができる。そして、認証装置４０は、生体情報取得装置１０から生体情報を取得すると、生体情報取得装置１０から取得した生体情報と、その時点で抽出されている登録生体情報とを用いて、認証処理を行う。
【００２５】
このように、本実施形態の認証装置４０は、生体情報取得装置１０の近くに位置するユーザ携帯端末３０から取得した情報に基づいて、格納装置５０に登録されている多数の登録生体情報の中から、生体情報取得装置１０の近くに位置するユーザの登録生体情報を抽出することができる。そして、認証処理の時点で抽出されている登録生体情報のみを用いて、認証処理を行うことができる。
【００２６】
このような本実施形態によれば、生体情報取得装置１０が取得した生体情報各々を用いた認証処理において利用される登録生体情報の数を小さくすることができる。結果、認証精度や認証の処理速度を向上させることができる。
【００２７】
以下、各装置の構成について説明する。
【００２８】
＜生体情報取得装置１０＞
生体情報取得装置１０は、カメラ、マイク、指紋入力装置等の装置を備え、ユーザの顔画像、指紋、声紋、虹彩等の生体データを取得する。なお、生体情報取得装置１０は、その他の生体データを取得してもよい。生体情報取得装置１０は、さらに、当該生体データから予め定められた所定のアルゴリズムにより、所定の特徴量を抽出するよう構成されてもよい。生体情報取得装置１０は、生体データ及び上記特徴量の少なくとも一方を含む生体情報を取得すると、例えばリアルタイム処理で、当該生体情報を、有線及び／又は無線での通信により認証装置４０に送信する。
【００２９】
＜設置装置２０＞
図２に、設置装置２０の機能ブロック図の一例を示す。図示するように、設置装置２０は、検知情報送信部２１を有する。
【００３０】
検知情報送信部２１は、定期的に又は間欠的に、自装置からの距離が所定の距離以内に位置するユーザ携帯端末３０に、無線通信で検知情報を送信する。検知情報には、設置装置２０の識別情報が含まれてもよい。
【００３１】
例えば、検知情報送信部２１は、通信距離が所定の距離以内である所定の無線通信規格を用いて、自装置から所定の距離以内の通信エリア（図１の通信エリア２０Ａ）内に、定期的に又は間欠的に検知情報を送信する。そして、当該通信エリア（図１の通信エリア２０Ａ）内に位置するユーザ携帯端末３０は、当該検知情報を受信することとなる。無線通信規格は、ブルートゥース規格や無線ＬＡＮ（Local Area Network）規格等が挙げられるがこれらに限定されない。設置装置２０は、例えば、いわゆるビーコン端末や無線ＬＡＮアクセスポイントであってもよいが、これらに限定されない。
【００３２】
なお、図１に示す通り、設置装置２０は、生体情報取得装置１０の近傍に設置される。そして、本実施形態では、設置装置２０の近くにいるユーザを、生体情報取得装置１０の近くにいるユーザとして扱う。このため、設置装置２０は、生体情報取得装置１０にできるだけ近づけて設置されるのが好ましい。生体情報取得装置１０と設置装置２０との距離は、例えば、３ｍ以内、好ましくは１ｍ以内、さらに好ましくは０．５ｍ以内である。
【００３３】
＜ユーザ携帯端末３０＞
図３に、ユーザ携帯端末３０の機能ブロック図の一例を示す。図示するように、ユーザ携帯端末３０は、ユーザ情報記憶部３１と、検知情報受信部３２と、ユーザ情報送信部３３とを有する。
【００３４】
ユーザ情報記憶部３１は、ユーザの識別情報を記憶する。ユーザの識別情報は、ユーザの名称、任意に定められた文字列（数字、記号等を含んでもよい）、ユーザ携帯端末３０の端末ＩＤ等が考えられるが、これらに限定されない。
【００３５】
検知情報受信部３２は、設置装置２０の検知情報送信部２１と同じ規格で無線通信が可能である。そして、ユーザ携帯端末３０が設置装置２０と当該規格で無線通信可能なエリア（図１の通信エリア２０Ａ）に入ると、すなわち、設置装置２０から送信された検知情報が到達するエリア（図１の通信エリア２０Ａ）にユーザ携帯端末３０が入ると、検知情報受信部３２は設置装置２０から送信された検知情報を受信する。
【００３６】
ユーザ情報送信部３３は、検知情報受信部３２が検知情報を受信すると、当該受信に応じて、ユーザ情報記憶部３１に記憶されているユーザの識別情報を含むユーザ情報を、認証装置４０に送信する。検知情報に、設置装置２０の識別情報が含まれている場合、ユーザ情報送信部３３はユーザ情報に当該設置装置２０の識別情報を含めて認証装置４０に送信してもよい。例えば、検知情報受信部３２が検知情報を受信すると、ユーザ情報送信部３３は、検知情報内の所定の位置にユーザ情報記憶部３１に記憶されているユーザの識別情報を書き込み、それをユーザ情報として認証装置４０に送信してもよい。
【００３７】
ユーザ情報送信部３３による通信手段は特段制限されないが、無線ＬＡＮやインターネット等のネットワーク１を介した通信であってもよい。
【００３８】
なお、通信エリア２０Ａ内にユーザ携帯端末３０がいる間、検知情報受信部３２は、設置装置２０から定期的に又は間欠的に送信される検知情報を受信し続けることとなる。ユーザ情報送信部３３は、検知情報受信部３２が検知情報を受信すると、その都度、ユーザ情報を認証装置４０に送信してもよい。または、ユーザ情報送信部３３は、設置装置２０から所定の時間よりも短い時間間隔で連続的に検知情報を受信した場合、２回目以降の受信時にはユーザ情報を送信しないように構成してもよい。この場合、ユーザ携帯端末３０は、設置装置２０からの検知情報の受信が所定時間以上途絶えると、その旨を示す情報（ユーザの識別情報を含む）を認証装置４０に送信してもよい。これは、ユーザ携帯端末３０が通信エリア２０Ａ外に出て行ったことを意味する。
【００３９】
ユーザ携帯端末３０は、例えば、スマートフォン等の携帯電話、タブレット端末、携帯ゲーム機等の既存の携帯端末に所定のアプリをインストールすることで上記機能を実現したものであってもよい。または、ユーザ携帯端末３０は、本実施形態の認証システム専用に準備された端末であってもよい。
【００４０】
＜格納装置５０＞
格納装置５０には、複数のユーザ各々に対応する複数の登録生体情報が格納（記憶）されている。すなわち、格納装置５０には、認証装置４０による認証処理で正当権限を有すると認証されるユーザ各々に対応する登録生体情報が格納されている。格納装置５０に格納される登録生体情報は、ユーザの顔画像、指紋、声紋、虹彩等の生体データそのものであってもよいし、これらの生体データから抽出された所定の特徴量であってもよいし、これらの両方であってもよい。格納装置５０は、例えば、不揮発性の記憶装置で構成される。
【００４１】
登録生体情報は、格納装置５０において、各ユーザの識別情報と対応付けられる。格納装置５０において登録生体情報と対応付けられるユーザの識別情報は、ユーザ携帯端末３０のユーザ情報記憶部３１に記憶されるユーザの識別情報と同じであってもよいし、異なってもよい。異なる場合、認証装置４０は、互いの識別情報を同じユーザのもの同士で結びつけるための対応付け情報を保持する。
【００４２】
図４に、格納装置５０が記憶する登録生体情報の一例を模式的に示す。図示する例では、ユーザＩＤ（ユーザの識別情報）と登録生体情報とが互いに対応付けられている。
【００４３】
＜認証装置４０＞
図５は、本実施形態の認証装置４０のハードウエア構成の一例を概念的に示す図である。図示するように、本実施形態の認証装置４０は、例えば、バス１０Ａで相互に接続されるＣＰＵ１Ａ、ＲＡＭ（Random Access Memory）２Ａ、ＲＯＭ（Read Only Memory）３Ａ、表示制御部４Ａ、ディスプレイ５Ａ、操作受付部６Ａ、操作部７Ａ、通信部８Ａ、補助記憶装置９Ａ等を有する。なお、図示しないが、その他、外部機器と有線で接続される入出力インタフェイス、マイク、スピーカ等の他の要素を備えてもよい。また、図示する要素の一部を含まなくてもよい。
【００４４】
ＣＰＵ１Ａは各要素とともに認証装置４０のコンピュータ全体を制御する。ＲＯＭ３Ａは、コンピュータを動作させるためのプログラムや各種アプリケーションプログラム、それらのプログラムが動作する際に使用する各種設定データなどを記憶する領域を含む。ＲＡＭ２Ａは、プログラムが動作するための作業領域など一時的にデータを記憶する領域を含む。補助記憶装置９Ａは、例えばＨＤＤ（Hard Disc Drive）であり、大容量のデータを記憶可能である。
【００４５】
タッチパネルディスプレイ５Ａは、表示装置（ＬＥＤ（Light Emitting Diode）表示器、液晶ディスプレイ、有機ＥＬ（Electro Luminescence）ディスプレイ等）と、タッチパッドとが一体になっている。表示制御部４Ａは、ＶＲＡＭ（Video RAM）に記憶されたデータを読み出し、読み出したデータに対して所定の処理を施した後、タッチパネルディスプレイ５Ａに送って各種画面表示を行う。操作受付部６Ａは、操作部７Ａを介して各種操作を受付ける。操作部７Ａは、操作キー、操作ボタン、スイッチ、ジョグダイヤル、タッチパネルディスプレイ、キーボードなどを含む。通信部８Ａは、有線及び／又は無線で、インターネット、ＬＡＮ等のネットワークに接続し、他の電子機器と通信する。
【００４６】
図６に、認証装置４０の機能ブロック図の一例を示す。図示するように、認証装置４０は、ユーザ情報取得部４１と、抽出部４２と、生体情報取得部４３と、認証部４４とを有する。
【００４７】
ユーザ情報取得部４１は、生体情報取得装置１０の近傍に設置されている設置装置２０から所定の距離以内に位置するユーザ携帯端末３０各々から、ユーザの識別情報を含むユーザ情報を取得する。すなわち、ユーザ情報取得部４１は、ユーザ携帯端末３０のユーザ情報送信部３３から送信されてきたユーザ情報を受信する。なお、図６において、ユーザ情報取得部４１は、設置装置２０又はユーザ携帯端末３０からユーザ情報を受信することが示されている。ユーザ情報取得部４１が設置装置２０からユーザ情報を受信する実施形態は、以下で説明する。
【００４８】
抽出部４２は、格納装置５０から、ユーザ情報取得部４１が取得したユーザ情報に含まれるユーザの識別情報に対応する登録生体情報を抽出する。抽出された登録生体情報は、記憶部４５（不図示）に記憶される。記憶部４５は、例えば、揮発性の記憶装置で構成される。なお、記憶部４５は、不揮発性の記憶装置で構成されてもよい。記憶部４５に記憶されている登録生体情報の集合は、格納装置５０に記憶されている登録生体情報の集合の部分集合である。
【００４９】
図７に、記憶部４５に記憶されている登録生体情報の一例を模式的に示す。図示する例では、ユーザＩＤと登録生体情報とが互いに対応付けられている。
【００５０】
なお、抽出部４２は、記憶部４５を更新することができる。例えば、抽出部４２は、ユーザ情報取得部４１が新たにユーザ情報を取得すると、当該ユーザ情報に含まれるユーザの識別情報に対応する登録生体情報が記憶部４５に記憶されているか確認する。そして、記憶されている場合、処理を終了する。一方、記憶されていない場合、格納装置５０からそのユーザの識別情報に対応する登録生体情報を抽出し、記憶部４５に格納する。
【００５１】
また、抽出部４２は、記憶部４５に記憶されている登録生体情報を削除することもできる。例えば、ユーザ携帯端末３０のユーザ情報送信部３３は、検知情報受信部３２が検知情報を受信すると、その都度、ユーザ情報を認証装置４０に送信するよう構成される。この場合、抽出部４２は、新たな受信が所定時間以上途絶えたユーザの識別情報を特定すると、当該ユーザの識別情報に対応する登録生体情報を、記憶部４５から削除してもよい。ユーザの識別情報の受信が所定時間以上途絶えた場合、当該ユーザの識別情報を記憶しているユーザ携帯端末３０が、通信エリア２０Ａ外に出て行ったことを意味する。
【００５２】
その他の例として、例えば、ユーザ携帯端末３０は、設置装置２０からの検知情報の受信が所定時間以上途絶えた場合、その旨を示す情報（ユーザの識別情報を含む）を認証装置４０に送信する。この場合、抽出部４２は、当該情報の受信に応じて、当該ユーザの識別情報に対応する登録生体情報を、記憶部４５から削除してもよい。検知情報の受信が所定時間以上途絶えた場合、当該ユーザの識別情報を記憶しているユーザ携帯端末３０が、通信エリア２０Ａ外に出て行ったことを意味する。
【００５３】
図６に戻り、生体情報取得部４３は、生体情報取得装置１０から、生体情報を取得する。例えば、生体情報取得装置１０は生体情報を取得すると、リアルタイム処理で、当該生体情報を認証装置４０に送信する。生体情報取得部４３は、このように生体情報取得装置１０から送信されてきた生体情報を受信する。生体情報取得部４３が取得する生体情報は、ユーザの顔画像、指紋、声紋、虹彩等の生体データ、及び、当該生体データから抽出された特徴量の少なくとも一方を含む。
【００５４】
認証部４４は、生体情報取得部４３が取得した生体情報各々を用いた認証処理時に抽出されている（記憶部４５に記憶されている）登録生体情報と、生体情報取得部４３が取得した生体情報とに基づいて、認証処理を行う。すなわち、認証部４４は、生体情報取得部４３が生体情報を取得すると、当該生体情報と、その時点で抽出部４２に抽出され、記憶部４５に記憶されている登録生体情報と用いた照合処理により、認証処理を行う。
【００５５】
認証装置４０は、認証部４４による認証結果を出力する出力部（不図示）をさらに有してもよい。出力部は、有線及び／又は無線での通信により、認証結果を、生体認証が必要なスポット（場所）に設置された所定の装置に送信する。当該装置は、認証結果に基づいて、所定の処理を実行する。例えば、認証結果が「認証する」ものである場合、認証されたユーザのみが入室できる部屋の入口のロックを解除したり、認証されたユーザのみが通過できるゲートを開いたりするなどの処理を実行する。一方、認証結果が「認証しない」ものである場合、ディスプレイ、スピーカ、警告ランプ等の所定の出力装置を介して、その旨を示す情報を出力する。
【００５６】
以上説明した本実施形態の認証システムによれば、認証装置４０は、生体情報取得装置１０の近くに位置するユーザ携帯端末３０から取得した情報（各ユーザ携帯端末３０を携帯しているユーザの識別情報）に基づいて、格納装置５０に登録されている多数の登録生体情報の中から、生体情報取得装置１０の近くに位置するユーザに関する登録生体情報を抽出することができる。そして、認証処理時に抽出されている登録生体情報のみを用いて、認証処理を行うことができる。
【００５７】
このような本実施形態によれば、生体情報取得装置１０が取得した生体情報各々を用いた認証処理において利用される登録生体情報の数を小さくすることができる。結果、認証精度や認証の処理速度を向上させることができる。なお、ユーザ携帯端末３０に登録されたユーザの識別情報のみを用いた認証処理の場合、ユーザ携帯端末３０を貸し渡す等により、容易になりすまし等の不正がなされてしまう。本実施形態では、生体情報を用いて認証処理を行うので、当該不都合の発生を抑制することができる。
【００５８】
＜第２の実施形態＞
まず、図８を用いて、本実施形態の認証システムの全体像について説明する。本実施形態の認証システムでは、ユーザ携帯端末３０がユーザの識別情報を含む検知情報を通信エリア３０Ａ内に送信し、当該通信エリア３０Ａ内に位置する設置装置２０が当該検知情報を受信する。そして、検知情報を受信した設置装置２０は、当該受信に応じて、ユーザの識別情報を含むユーザ情報を認証装置４０に送信する。本実施形態の認証システムは、当該点で、第１の実施形態と異なる。以下、詳細に説明する。なお、生体情報取得装置１０、格納装置５０の構成は、第１の実施形態と同様であるので、ここでの説明は省略する。
【００５９】
＜ユーザ携帯端末３０＞
図９に、本実施形態のユーザ携帯端末３０の機能ブロック図の一例を示す。図示するように、ユーザ携帯端末３０は、ユーザ情報記憶部３１と、検知情報送信部３４とを有する。ユーザ情報記憶部３１の構成は、第１の実施形態と同様である。ユーザ携帯端末３０は、第１の実施形態と同様、ユーザに携帯される。
【００６０】
検知情報送信部３４は、定期的に又は間欠的に、自装置からの距離が所定の距離以内に位置する設置装置２０に、無線通信で検知情報を送信する。検知情報には、ユーザ情報記憶部３１に記憶されているユーザの識別情報が含まれる。
【００６１】
例えば、検知情報送信部３４は、通信距離が上記所定の距離以内である所定の無線通信規格を用いて、自端末から上記所定の距離以内の通信エリア（図８の通信エリア３０Ａ）内に、定期的に又は間欠的に検知情報を送信する。そして、当該通信エリア（図８の通信エリア３０Ａ）内に位置する設置装置２０は、当該検知情報を受信することとなる。無線通信規格は、ブルートゥース規格や無線ＬＡＮ規格等が挙げられるがこれらに限定されない。ユーザ携帯端末３０は、例えば、スマートフォン等の携帯電話、タブレット端末、携帯ゲーム機等の既存の携帯端末に所定のアプリをインストールすることで上記機能を実現したものであってもよい。または、ユーザ携帯端末３０は、本実施形態の認証システム専用に準備された端末、例えばビーコン端末であってもよい。
【００６２】
＜設置装置２０＞
図１０に、本実施形態の設置装置２０の機能ブロック図の一例を示す。図示するように、設置装置２０は、検知情報受信部２２と、ユーザ情報送信部２３とを有する。設置装置２０は、第１の実施形態と同様、生体情報取得装置１０の近傍に設置される。
【００６３】
検知情報受信部２２は、ユーザ携帯端末３０の検知情報送信部３４と同じ規格で無線通信が可能である。そして、ユーザ携帯端末３０の移動により、当該ユーザ携帯端末３０と当該規格で無線通信可能なエリア（図８の通信エリア３０Ａ）に設置装置２０が入ると、すなわち、ユーザ携帯端末３０から送信された検知情報が到達するエリア（図８の通信エリア３０Ａ）に設置装置２０が入ると、検知情報受信部２２はユーザ携帯端末３０から送信された検知情報を受信する。
【００６４】
ユーザ情報送信部２３は、検知情報受信部２２が検知情報を受信すると、当該受信に応じて、当該検知情報に含まれているユーザの識別情報を含むユーザ情報を、認証装置４０に送信する。なお、ユーザ情報送信部２３は、ユーザ情報に、自装置の識別情報（設置装置２０の識別情報）を含めて認証装置４０に送信してもよい。例えば、検知情報受信部２２が検知情報を受信すると、ユーザ情報送信部２３は、検知情報内の所定の位置に自装置の識別情報（設置装置２０の識別情報）を書き込み、それをユーザ情報として認証装置４０に送信してもよい。
【００６５】
ユーザ情報送信部２３による通信手段は特段制限されないが、無線ＬＡＮやインターネット等のネットワーク１を介した通信であってもよいし、有線での通信であってもよい。
【００６６】
なお、通信エリア３０Ａ内に設置装置２０がいる間、検知情報受信部２２は、ユーザ携帯端末３０から定期的に又は間欠的に送信される検知情報を受信し続けることとなる。ユーザ情報送信部２３は、検知情報受信部２２が検知情報を受信すると、その都度、ユーザ情報を認証装置４０に送信してもよい。または、ユーザ情報送信部２３は、同じユーザ携帯端末３０から所定の時間よりも短い時間間隔で連続的に検知情報を受信した場合、２回目以降の受信時にはユーザ情報を送信しないように構成してもよい。この場合、設置装置２０は、あるユーザ携帯端末３０からの検知情報の受信が所定時間以上途絶えると、その旨を示す情報（ユーザの識別情報を含む）を認証装置４０に送信してもよい。この場合、ユーザ携帯端末３０の移動により、設置装置２０は当該ユーザ携帯端末３０の通信エリア３０Ａ外に移動したことを意味する。
【００６７】
＜認証装置４０＞
認証装置４０の機能ブロック図の一例は、第１の実施形態と同様、図６で示される。なお図示しないが、記憶部４５をさらに有してもよい。抽出部４２、生体情報取得部４３、認証部４４及び記憶部４５の構成は、第１の実施形態と同様である。
【００６８】
ユーザ情報取得部４１は、生体情報取得装置１０の近傍に設置されている設置装置２０から所定の距離以内に位置するユーザ携帯端末３０各々から、設置装置２０を介して（設置装置２０を経由して）、ユーザの識別情報を取得する。すなわち、ユーザ携帯端末３０は、ユーザの識別情報を設置装置２０に送信する。そして、その後、設置装置２０は、受信したユーザの識別情報を認証装置４０に送信する。ユーザ情報取得部４１は、このように送信されてきたユーザの識別情報を受信する。
【００６９】
以上説明した本実施形態の認証システムにおいても、第１の実施形態と同様の作用効果を実現することができる。
【００７０】
＜第３の実施形態＞
まず、本実施形態の全体像について説明する。本実施形態では、格納装置５０に記憶されている複数の登録生体情報を、１ステップで認証処理に利用するグループに絞り込むのでなく、設置装置２０とユーザ携帯端末３０との距離に応じて段階的に絞り込んでいき、最終的に、認証処理に利用するグループに絞り込む。例えば、図１１に示すように、設置装置２０からの距離に応じて複数のエリアを設定し、各エリア内のユーザ携帯端末３０の検知に応じて、徐々に登録生体情報を絞り込んでいく。
【００７１】
このような本実施形態によれば、認証処理に利用するグループとして登録生体情報を抽出する処理を、効率的に行うことができる。例えば、図１１の場合、２０Ａ−１のエリア内に位置するユーザに対応する登録生体情報が、認証処理に利用するグループとして抽出されることになる。
【００７２】
１ステップで絞り込む場合、２０Ａ−１のエリア内にユーザが位置することを検知すると、このユーザの登録生体情報を、格納装置５０内から抽出することとなる。すなわち、格納装置５０に格納されている膨大な数の登録生体情報が検索対象となる。
【００７３】
これに対し、距離に応じて段階的に絞り込む場合、２０Ａ−１のエリア内にユーザが位置することを検知すると、このユーザの登録生体情報を、２０Ａ−２のエリアに対応して抽出されている登録生体情報群から抽出することとなる。当然、格納装置５０に格納されている膨大な数の登録生体情報が検索対象とする場合に比べて、検索対象の数は少なくなる。結果、所定の登録生体情報を抽出する処理を効率的に行うことができる。以下、詳細に説明する。なお、生体情報取得装置１０、格納装置５０の構成は、第１の実施形態と同様であるので、ここでの説明は省略する。
【００７４】
＜設置装置２０＞
本実施形態の設置装置２０の機能ブロック図の一例は、第１の実施形態と同様、図２で示される。
【００７５】
検知情報送信部２１は、検知情報の送信距離を、第１のレベルから第ｎ（ｎは２以上の整数、かつ、ｎが大きいほど距離が大きい）のレベルの間で制御可能である。例えば、検知情報送信部２１は、図１１に示すように、第１から第３の３つのレベルの間で送信距離を制御可能であってもよい。図１１には、３つの通信エリア２０Ａ−１乃至２０Ａ−３が示されている。通信エリア２０Ａ−１が第１のレベルの送信距離に対応し、通信エリア２０Ａ−２が第２のレベルの送信距離に対応し、通信エリア２０Ａ−３が第３のレベルの送信距離に対応する。
【００７６】
そして、検知情報送信部２１は、送信する検知情報に、送信距離を示す距離情報を含めて送信する。すなわち、検知情報送信部２１は、第ｐのレベル（ｐは１以上ｎ以下の整数）の送信距離で検知情報を送信する場合、当該検知情報の中に、第ｐのレベルの送信距離で検知情報を送信したことを示す距離情報を含めて送信する。
【００７７】
なお、検知情報送信部２１による送信距離の制御は、同じ無線通信規格で送信距離を調整することで実現してもよいし、又は、検知情報送信部２１が互いに通信距離が異なる複数の無線通信規格で検知情報を送信可能であり、各規格で検知情報を送信することで実現してもよい。
【００７８】
＜ユーザ携帯端末３０＞
本実施形態のユーザ携帯端末３０の機能ブロック図の一例は、第１の実施形態と同様、図３で示される。ユーザ情報記憶部３１の構成は、第１の実施形態と同様である。
【００７９】
検知情報受信部３２は、設置装置２０の検知情報送信部２１と同じ規格で無線通信が可能である。そして、検知情報受信部３２は、距離情報が含まれている検知情報を設置装置２０から受信する。
【００８０】
ユーザ情報送信部３３は、ユーザの識別情報及び距離情報を含むユーザ情報を認証装置４０に送信する。例えば、検知情報受信部３２が検知情報を受信すると、ユーザ情報送信部３３は、検知情報内の所定の位置にユーザ情報記憶部３１に記憶されているユーザの識別情報を書き込み、それをユーザ情報として認証装置４０に送信してもよい。
【００８１】
なお、通信エリア２０Ａ（図１１に示す通信エリア２０Ａ−１乃至２０Ａ−３）内にユーザ携帯端末３０がいる間、検知情報受信部３２は、設置装置２０から定期的に又は間欠的に送信される検知情報を受信し続けることとなる。ユーザ情報送信部３３は、検知情報受信部３２が検知情報を受信すると、その都度、ユーザ情報を認証装置４０に送信してもよい。または、ユーザ情報送信部３３は、設置装置２０から所定の時間よりも短い時間間隔で連続的に同じ送信距離を示す距離情報を含む検知情報を受信した場合、２回目以降の受信時にはユーザ情報を送信しないように構成してもよい。この場合、ユーザ携帯端末３０は、設置装置２０からの検知情報の受信が所定時間以上途絶えると、その旨を示す情報（ユーザの識別情報を含む）を認証装置４０に送信してもよい。これは、ユーザ携帯端末３０が通信エリア２０Ａ外に出て行ったことを意味する。
【００８２】
＜認証装置４０＞
図１２に、本実施形態の認証装置４０の機能ブロック図の一例を示す。図示するように、本実施形態の認証装置４０は、ユーザ情報取得部４１と、抽出部４２と、生体情報取得部４３と、認証部４４と、記憶部４５と、距離毎グループ化部４６とを有する。抽出部４２及び生体情報取得部４３の構成は、第１の実施形態と同様である。
【００８３】
ユーザ情報取得部４１は、ユーザ携帯端末３０各々の設置装置２０からの距離を示す距離情報をさらに取得する。すなわち、ユーザ情報取得部４１は、ユーザ携帯端末３０により送信された距離情報を含むユーザ情報を受信する。
【００８４】
距離毎グループ化部４６は、抽出部４２が抽出した登録生体情報を、距離情報に基づき、距離に応じた複数のグループに分ける。例えば、距離毎グループ化部４６は、抽出部４２が抽出し、記憶部４５に記憶されている登録生体情報を、距離情報で示される距離に応じて複数のグループに分ける。なお、ユーザ情報取得部４１が、あるユーザの識別情報を含むユーザ情報を繰り返し取得した場合、距離毎グループ化部４６は、最新のユーザ情報に含まれる距離情報に基づいて、グループ化を行う。
【００８５】
ここで、距離毎グループ化部４６によるグループ化処理の一例を示すが、距離毎グループ化部４６によるグループ化処理はこれに限定されない。
【００８６】
図１３に、記憶部４５に記憶されている登録生体情報の一例を模式的に示す。図示する例では、ユーザＩＤと、登録生体情報と、距離グループＩＤとが対応付けられている。例えば、距離毎グループ化部４６は、ユーザ情報取得部４１が取得したユーザ情報に基づいて、記憶部４５が記憶する図１３に示す情報の距離グループＩＤを更新する。図示する距離グループＩＤは、上述した送信距離のレベルに対応する。すなわち、当該例の場合、距離毎グループ化部４６は、抽出部４２が抽出した登録生体情報を、上記送信距離のレベルに対応して、第１のグループから第ｎのグループ（ｎは２以上の整数、かつ、ｎが大きいほど距離が大きい）にグループ化している。
【００８７】
なお、ユーザ情報取得部４１が、第１のユーザの識別情報、及び、第ｐ（ｐは１以上ｎ以下）のグループに対応する距離情報を含むユーザ情報を取得すると、距離毎グループ化部４６は、その時点で抽出されている登録生体情報（例：記憶部４５に記憶されている登録生体情報）の中の、第（ｐ−１）のグループ及び第（ｐ＋１）のグループの少なくとも一方に属する登録生体情報を検索対象とし、第１のユーザの識別情報に対応する登録生体情報がないか確認する。
【００８８】
そして、第（ｐ−１）のグループ又は第（ｐ＋１）のグループに属する第１のユーザの識別情報に対応する登録生体情報が存在した場合、距離毎グループ化部４６は、特定したその登録生体情報を、第ｐのグループに移動させる。例えば、図１３の距離グループＩＤの値を所定の値に更新する。
【００８９】
一方、第（ｐ−１）のグループ又は第（ｐ＋１）のグループに属する第１のユーザの識別情報に対応する登録生体情報が存在しなかった場合、距離毎グループ化部４６はその旨を示す情報を抽出部４２に入力する。すると、抽出部４２はそれに応じて、第１のユーザの識別情報に対応する登録生体情報を格納装置５０から抽出し、例えば記憶部４５に記憶させる。そして、距離毎グループ化部４６は、新たに抽出された登録生体情報を、第ｐのグループに属させる。例えば、図１３の距離グループＩＤの欄に所定の値を入力する。
【００９０】
図１２に戻り、認証部４４は、認証処理時に最も距離が小さいグループ（図１３の場合、距離グループＩＤ：１）に属する登録生体情報と、生体情報取得部４３が取得した生体情報とに基づいて、認証処理を行う。
【００９１】
ここで、本実施形態の変形例について説明する。上述した例では、第１の実施形態をベースとし、設置装置２０が、送信距離を、第１のレベルから第ｎ（ｎは２以上の整数、かつ、ｎが大きいほど距離が大きい）のレベルの間で制御しながら検知情報を送信した。これに対し、第２の実施形態をベースとし、ユーザ携帯端末３０が、送信距離を、第１のレベルから第ｎ（ｎは２以上の整数、かつ、ｎが大きいほど距離が大きい）のレベルの間で制御しながら検知情報を送信してもよい。このようにしても、上記例と同様の作用効果を実現できる。
【００９２】
以上説明した本実施形態によれば、第１及び第２の実施形態と同様の作用効果を実現できる。また、本実施形態によれば、格納装置５０に記憶されている複数の登録生体情報を、設置装置２０とユーザ携帯端末３０との距離に応じて段階的に絞り込んでいくことができる。結果、当該絞り込み処理を、効率的に行うことが可能となる。
【００９３】
＜第４の実施形態＞
まず、本実施形態の全体像について説明する。本実施形態では、生体認証が行われるスポットが複数あり、各スポットに生体情報取得装置１０及び設置装置２０が設置されている。そして、認証装置４０は、複数の生体情報取得装置１０から生体情報を取得し、認証処理を行う。以下、詳細に説明する。
【００９４】
生体情報取得装置１０、設置装置２０及びユーザ携帯端末３０の構成は、第１乃至第３の実施形態のいずれかと同様である。
【００９５】
＜格納装置５０＞
図１４に、本実施形態の格納装置５０が記憶する情報の一例を模式的に示す。図示する例では、ユーザＩＤと、登録生体情報と、許可スポットＩＤとが対応付けられている。格納装置５０に登録生体情報が登録されているユーザは、複数のスポットのうち、少なくとも一つで認証される。格納装置５０は、図１４に示すように、各ユーザが認証されるスポット（許可スポット）を示す情報を記憶している。
【００９６】
＜認証装置４０＞
図１５に、本実施形態の認証装置４０の機能ブロック図の一例を示す。図示するように、認証装置４０は、ユーザ情報取得部４１と、抽出部４２と、生体情報取得部４３と、認証部４４と、記憶部４５と、設置装置毎グループ化部４７とを有する。なお、距離毎グループ化部４６をさらに有してもよい。
【００９７】
ユーザ情報取得部４１は、生体情報取得装置１０の近傍に設置されている設置装置２０から所定の距離以内に位置するユーザ携帯端末３０各々から、直接又は当該設置装置２０を介してユーザの識別情報を取得する時、当該ユーザ携帯端末３０から所定の距離以内に位置する当該設置装置２０の識別情報をさらに取得する。
【００９８】
第１乃至第３の実施形態で、設置装置２０又はユーザ携帯端末３０が、ユーザ情報に設置装置２０の識別情報を含めて認証装置４０に送信する実施形態を示した。ユーザ情報取得部４１は、このように送信されたユーザ情報を受信することができる。
【００９９】
抽出部４２は、ユーザ情報に含まれるユーザの識別情報と、設置装置２０の識別情報とに基づき、当該ユーザが当該設置装置２０の設置スポットで認証されるユーザである場合、格納装置５０から当該ユーザの登録生体情報を抽出する。抽出された登録生体情報は、例えば記憶部４５に記憶される。
【０１００】
抽出部４２は、各設置装置２０の設置スポットを特定可能に構成される。例えば、抽出部４２は、図１８に示すような、設置装置ＩＤと、設置スポットを示すスポットＩＤとを対応付けた情報を保持しておく。そして、抽出部４２は、ユーザ情報取得部４１がユーザ情報を取得すると、設置装置２０の識別情報に基づいて、設置スポットを特定する。また、抽出部４２は、格納装置５０を検索し、当該ユーザ情報に含まれるユーザの識別情報に対応する登録生体情報を特定する（図１４参照）。その後、抽出部４２は、当該ユーザが認証されるスポットの中に、今回特定した設置スポットが含まれるか判断する。含まれる場合、特定した登録生体情報を抽出する。含まれない場合、特定した登録生体情報を抽出しない。
【０１０１】
設置装置毎グループ化部４７は、抽出部４２が抽出し、例えば記憶部４５に記憶されている登録生体情報を、ユーザ情報取得部４１が取得した設置装置２０の識別情報に基づき、設置装置２０の識別情報毎に複数のグループに分ける。
【０１０２】
図１６に、記憶部４５に記憶されている登録生体情報の一例を模式的に示す。図示する例では、ユーザＩＤと、登録生体情報と、設置装置ＩＤとが対応付けられている。例えば、設置装置毎グループ化部４７は、ユーザ情報取得部４１が取得したユーザ情報に含まれる設置装置２０の識別情報に基づいて、記憶部４５が記憶する図１６に示す情報の設置装置ＩＤを更新する。
【０１０３】
図１７に、記憶部４５に記憶されている登録生体情報の他の一例を模式的に示す。図示する例では、ユーザＩＤと、登録生体情報と、設置装置ＩＤと、距離グループＩＤとが対応付けられている。例えば、設置装置毎グループ化部４７は、ユーザ情報取得部４１が取得したユーザ情報に含まれる設置装置２０の識別情報に基づいて、記憶部４５が記憶する図１７に示す情報の設置装置ＩＤを更新する。そして、距離毎グループ化部４６は、ユーザ情報取得部４１が取得したユーザ情報に含まれる距離情報に基づいて、記憶部４５が記憶する図１７に示す情報の距離グループＩＤを更新する。
【０１０４】
生体情報取得部４３は、生体情報取得装置１０から生体情報を取得する際、併せて、近くに設置されている設置装置２０の識別情報を取得する。すなわち、生体情報取得装置１０は、生体情報と、近傍に設置されている設置装置２０の識別情報を、認証装置４０に送信する。
【０１０５】
認証部４４は、生体情報取得部４３が取得した設置装置２０の識別情報に対応するグループに属する登録生体情報（図１６及び図１７において、当該設置装置の識別情報（設置装置ＩＤ）を対応付けられている登録生体情報）と、生体情報取得部４３が取得した生体情報とに基づいて、認証処理を行う。なお、第３の実施形態と同様、距離毎グループ化部４６を有する場合、認証部４４は、生体情報取得部４３が取得した設置装置２０の識別情報に対応するグループに属し、かつ、最も距離が小さいグループ（図１７の場合、距離グループＩＤ：１）に属する登録生体情報と、生体情報取得部４３が取得した生体情報とに基づいて、認証処理を行う。
【０１０６】
以上説明した本実施形態によれば、第１乃至第３の実施形態と同様な作用効果を実現することができる。また、生体認証を行うスポットが複数あり、かつ、スポットごとに認証されるユーザが異なる場合であっても、複数のスポットでの認証処理を、１組の認証装置４０及び格納装置５０により効率的に実行することができる。
【０１０７】
以下、参考形態の例を付記する。
１．  各ユーザから生体情報を取得する生体情報取得装置の近傍に設置されている設置装置から所定の距離以内に位置するユーザ携帯端末各々から、前記ユーザの識別情報を取得するユーザ情報取得手段と、
複数の前記ユーザ各々に対応する複数の登録生体情報を格納する格納装置から、前記ユーザ情報取得手段が取得した前記ユーザの識別情報に対応する前記登録生体情報を抽出する抽出手段と、
前記生体情報取得装置から、前記生体情報を取得する生体情報取得手段と、
認証処理時に抽出されている前記登録生体情報と、前記生体情報取得手段が取得した前記生体情報とに基づいて、認証処理を行う認証手段と、
を有する認証装置。
２．  １に記載の認証装置において、
前記ユーザ情報取得手段は、前記ユーザ携帯端末各々の前記設置装置からの距離を示す距離情報をさらに取得し、
前記抽出手段が抽出した前記登録生体情報を、前記距離情報に基づき、距離に応じた複数のグループに分ける距離毎グループ化手段をさらに有し、
前記認証手段は、認証処理時に最も距離が小さいグループに属する前記登録生体情報と、前記生体情報取得手段が取得した前記生体情報とに基づいて、認証処理を行う認証装置。
３．  ２に記載の認証装置において、
前記距離毎グループ化手段は、
前記抽出手段が抽出した前記登録生体情報を、第１のグループから第ｎのグループ（ｎは２以上の整数、かつ、ｎが大きいほど距離が大きい）にグループ化し、
前記ユーザ情報取得手段が、第１の前記ユーザの識別情報、及び、第ｐ（ｐは１以上ｎ以下）のグループに対応する前記距離情報を取得すると、第（ｐ−１）のグループ及び第（ｐ＋１）のグループの少なくとも一方を検索対象とし、検索対象のグループに属する前記登録生体情報の中から前記第１のユーザの識別情報に対応する前記登録生体情報を特定すると、特定した前記登録生体情報を前記第ｐのグループに移動させる認証装置。
４．  １から３のいずれかに記載の認証装置において、
前記ユーザ情報取得手段は、前記ユーザ携帯端末から所定の距離以内に位置する前記設置装置の識別情報をさらに取得し、
前記抽出手段が抽出した前記登録生体情報を、前記設置装置の識別情報に基づき、前記設置装置の識別情報毎に複数のグループに分ける設置装置毎グループ化手段をさらに有し、
前記生体情報取得手段は、前記生体情報取得装置から、前記生体情報及び近傍に設置されている前記設置装置の識別情報を取得し、
前記認証手段は、前記生体情報取得手段が取得した前記設置装置の識別情報に対応するグループに属する前記登録生体情報と、前記生体情報取得手段が取得した前記生体情報とに基づいて、認証処理を行う認証装置。
５．  １から４のいずれかに記載の認証装置と、各ユーザから生体情報を取得する生体情報取得装置と、前記生体情報取得装置の近傍に設置されている設置装置と、前記ユーザ各々に携帯されるユーザ携帯端末とを有し、
前記設置装置は、定期的に又は間欠的に、自装置からの距離が所定の距離以内に位置する前記ユーザ携帯端末に検知情報を送信する検知情報送信手段をさらに有し、
前記携帯端末は、
前記ユーザの識別情報を記憶するユーザ情報記憶手段と、
前記検知情報を受信する検知情報受信手段と、
前記検知情報受信手段が前記検知情報を受信すると、当該受信に応じて、前記ユーザの識別情報を前記認証装置に送信するユーザ情報送信手段と、
を有する認証システム。
６．  ５に記載の認証システムにおいて、
前記検知情報送信手段は、前記検知情報の送信距離を、第１のレベルから第ｎ（ｎは２以上の整数、かつ、ｎが大きいほど距離が大きい）のレベルの間で制御可能であり、かつ、前記検知情報に前記送信距離を示す距離情報を含めて送信し、
前記ユーザ情報送信手段は、前記距離情報を前記認証装置に送信する認証システム。
７．  ５又は６に記載の認証システムにおいて、
前記検知情報送信手段は、前記検知情報に自装置の識別情報を含めて送信し、
前記ユーザ情報送信手段は、前記設置装置の識別情報を前記認証装置に送信する認証システム。
８．  １から４のいずれかに記載の認証装置と、各ユーザから生体情報を取得する生体情報取得装置と、前記生体情報取得装置の近傍に設置されている設置装置と、前記ユーザ各々に携帯されるユーザ携帯端末とを有し、
前記ユーザ携帯端末は、
前記ユーザの識別情報を記憶するユーザ情報記憶手段と、
定期的に又は間欠的に、自装置からの距離が所定の距離以内に位置する前記設置装置に、前記ユーザの識別情報を含む検知情報を送信する検知情報送信手段と、
をさらに有し、
前記設置装置は、
前記検知情報を受信する検知情報受信手段と、
前記検知情報受信手段が前記検知情報を受信すると、当該受信に応じて、前記ユーザの識別情報を前記認証装置に送信するユーザ情報送信手段と、
を有する認証システム。
９．  ８に記載の認証システムにおいて、
前記検知情報送信手段は、前記検知情報の送信距離を、第１のレベルから第ｎ（ｎは２以上の整数、かつ、ｎが大きいほど距離が大きい）のレベルの間で制御可能であり、かつ、前記検知情報に前記送信距離を示す距離情報を含めて送信し、
前記ユーザ情報送信手段は、前記距離情報を前記認証装置に送信する認証システム。
１０．  ８又は９に記載の認証システムにおいて、
前記ユーザ情報送信手段は、自装置の識別情報を前記認証装置に送信する認証システム。
１１．  コンピュータが、
各ユーザから生体情報を取得する生体情報取得装置の近傍に設置されている設置装置から所定の距離以内に位置するユーザ携帯端末各々から、前記ユーザの識別情報を取得するユーザ情報取得工程と、
複数の前記ユーザ各々に対応する複数の登録生体情報を格納する格納装置から、前記ユーザ情報取得工程で取得した前記ユーザの識別情報に対応する前記登録生体情報を抽出する抽出工程と、
前記生体情報取得装置から、前記生体情報を取得する生体情報取得工程と、
認証処理時に抽出されている前記登録生体情報と、前記生体情報取得工程で取得した前記生体情報とに基づいて、認証処理を行う認証工程と、
を実行する認証方法。
１１−２．  １１に記載の認証方法において、
前記ユーザ情報取得工程では、前記ユーザ携帯端末各々の前記設置装置からの距離を示す距離情報をさらに取得し、
前記コンピュータは、前記抽出工程で抽出した前記登録生体情報を、前記距離情報に基づき、距離に応じた複数のグループに分ける距離毎グループ化工程をさらに実行し、
前記認証工程では、認証処理時に最も距離が小さいグループに属する前記登録生体情報と、前記生体情報取得工程で取得した前記生体情報とに基づいて、認証処理を行う認証方法。
１１−３．  １１−２に記載の認証方法において、
前記距離毎グループ化工程では、
前記抽出工程で抽出した前記登録生体情報を、第１のグループから第ｎのグループ（ｎは２以上の整数、かつ、ｎが大きいほど距離が大きい）にグループ化し、
前記ユーザ情報取得工程では、第１の前記ユーザの識別情報、及び、第ｐ（ｐは１以上ｎ以下）のグループに対応する前記距離情報を取得すると、第（ｐ−１）のグループ及び第（ｐ＋１）のグループの少なくとも一方を検索対象とし、検索対象のグループに属する前記登録生体情報の中から前記第１のユーザの識別情報に対応する前記登録生体情報を特定すると、特定した前記登録生体情報を前記第ｐのグループに移動させる認証方法。
１１−４．  １１から１１−３のいずれかに記載の認証方法において、
前記ユーザ情報取得工程では、前記ユーザ携帯端末から所定の距離以内に位置する前記設置装置の識別情報をさらに取得し、
前記コンピュータは、前記抽出工程で抽出した前記登録生体情報を、前記設置装置の識別情報に基づき、前記設置装置の識別情報毎に複数のグループに分ける設置装置毎グループ化工程をさらに実行し、
前記生体情報取得工程では、前記生体情報取得装置から、前記生体情報及び近傍に設置されている前記設置装置の識別情報を取得し、
前記認証工程では、前記生体情報取得工程で取得した前記設置装置の識別情報に対応するグループに属する前記登録生体情報と、前記生体情報取得工程で取得した前記生体情報とに基づいて、認証処理を行う認証方法。
１２．  コンピュータを、
各ユーザから生体情報を取得する生体情報取得装置の近傍に設置されている設置装置から所定の距離以内に位置するユーザ携帯端末各々から、前記ユーザの識別情報を取得するユーザ情報取得手段、
複数の前記ユーザ各々に対応する複数の登録生体情報を格納する格納装置から、前記ユーザ情報取得手段が取得した前記ユーザの識別情報に対応する前記登録生体情報を抽出する抽出手段、
前記生体情報取得装置から、前記生体情報を取得する生体情報取得手段、
認証処理時に抽出されている前記登録生体情報と、前記生体情報取得手段が取得した前記生体情報とに基づいて、認証処理を行う認証手段、
として機能させるためのプログラム。
１２−２．  １２に記載のプログラムにおいて、
前記ユーザ情報取得手段に、前記ユーザ携帯端末各々の前記設置装置からの距離を示す距離情報をさらに取得させ、
前記コンピュータを、前記抽出手段が抽出した前記登録生体情報を、前記距離情報に基づき、距離に応じた複数のグループに分ける距離毎グループ化手段としてさらに機能させ、
前記認証手段に、認証処理時に最も距離が小さいグループに属する前記登録生体情報と、前記生体情報取得手段が取得した前記生体情報とに基づいて、認証処理を行わせるプログラム。
１２−３．  １２−２に記載のプログラムにおいて、
前記距離毎グループ化手段に、
前記抽出手段が抽出した前記登録生体情報を、第１のグループから第ｎのグループ（ｎは２以上の整数、かつ、ｎが大きいほど距離が大きい）にグループ化させ、
前記ユーザ情報取得手段が、第１の前記ユーザの識別情報、及び、第ｐ（ｐは１以上ｎ以下）のグループに対応する前記距離情報を取得すると、第（ｐ−１）のグループ及び第（ｐ＋１）のグループの少なくとも一方を検索対象とし、検索対象のグループに属する前記登録生体情報の中から前記第１のユーザの識別情報に対応する前記登録生体情報を特定すると、特定した前記登録生体情報を前記第ｐのグループに移動させるプログラム。
１２−４．  １２から１２−３のいずれかに記載のプログラムにおいて、
前記ユーザ情報取得手段に、前記ユーザ携帯端末から所定の距離以内に位置する前記設置装置の識別情報をさらに取得させ、
前記コンピュータを、前記抽出手段が抽出した前記登録生体情報を、前記設置装置の識別情報に基づき、前記設置装置の識別情報毎に複数のグループに分ける設置装置毎グループ化手段としてさらに機能させ、
前記生体情報取得手段に、前記生体情報取得装置から、前記生体情報及び近傍に設置されている前記設置装置の識別情報を取得させ、
前記認証手段に、前記生体情報取得手段が取得した前記設置装置の識別情報に対応するグループに属する前記登録生体情報と、前記生体情報取得手段が取得した前記生体情報とに基づいて、認証処理を行わせるプログラム。
【０１０８】
この出願は、２０１４年９月２日に出願された日本出願特願２０１４−１７７８５７号を基礎とする優先権を主張し、その開示の全てをここに取り込む。
【図１】
2016035402.tif 000003
【図２】
2016035402.tif 000004
【図３】
2016035402.tif 000005
【図４】
2016035402.tif 000006
【図５】
2016035402.tif 000007
【図６】
2016035402.tif 000008
【図７】
2016035402.tif 000009
【図８】
2016035402.tif 000010
【図９】
2016035402.tif 000011
【図１０】
2016035402.tif 000012
【図１１】
2016035402.tif 000013
【図１２】
2016035402.tif 000014
【図１３】
2016035402.tif 000015
【図１４】
2016035402.tif 000016
【図１５】
2016035402.tif 000017
【図１６】
2016035402.tif 000018
【図１７】
2016035402.tif 000019
【図１８】
2016035402.tif 000020
【国際調査報告】
2016035402.tif 000021
2016035402.tif 000022
2016035402.tif 000023
2016035402.tif 000024